(57)【特許請求の範囲】
【請求項１】
定寸のテープを収納していて使用時にテープを取り出すケースにおいて、
定寸のテープは多数本を上下に重ねて積層体にし、積層体は最上層又は最下層のテープを外側にして湾曲し、両端を連結せずに、ほぼ一重の輪形状にし、輪形状のテープ積層体を箱に挿入し、箱内では輪形状のテープ積層体の輪形状の前側面と後側面をそれぞれ箱の前側板と後側板に近接又は接触して並列する収納ケースであって、
箱の前側板又は後側板は、取出口の縁位置に切断予定線を設け、前側板又は後側板の切断予定線内側部分を切り取って取出口を形成する構成にし、
取出口は、上部を箱内の輪形状のテープ積層体の上部に対面し、下部を輪形状のテープ積層体の内側空間に対面して連通する構成にし、箱の取出口が箱内のテープ積層体の内側空間と対面して連通する部分は、人が人差し指を差し込む指差込み部分にし、
テープの取出時、箱の前側板又は後側板に取出口を開口し、取出口の指差込み部分から箱内の輪形状のテープ積層体の内側空間に人差し指を差し込み、人差し指と親指で輪形状テープ積層体の最内層のテープの上部を摘まみ、箱内の輪形状テープ積層体の最内層のテープを箱の取出口から引き出す構成にしていることを特徴とする定寸テープの収納ケース。
【請求項２】
箱の前側板又は後側板は、受止め片の縁位置に切断予定線を設け、前側板又は後側板の切断予定線内側部分を切り起こして受止め片を箱内に突出する構成にし、
受止め片は、箱内の輪形状のテープ積層体の内側空間に突出して輪形状のテープ積層体の上部を支える形状寸法にし、
受止め片で箱の取出口の指差込み部分が狭くなるのを防止する構成にしていることを特徴とする請求項１に記載の定寸テープの収納ケース。
【請求項３】
箱内の輪形状のテープ積層体の外周を取り囲む取囲み部材を設け、
取囲み部材は、囲み形状を箱内のテープ積層体の収納形態の外形状とほぼ同様にし、
取囲み部材内に輪形状のテープ積層体を嵌め込み、輪形状のテープ積層体を詰め込んだ取囲み部材を箱に挿入する構成にしていることを特徴とする請求項１又は２に記載の定寸テープの収納ケース。
【請求項４】
取囲み部材は、細長形状の帯状片を輪形状に湾曲し両端を連結して輪にし、輪の形状を箱内の輪形状のテープ積層体の収納形態の外形状とほぼ同様にしていることを特徴とする請求項３に記載の定寸テープの収納ケース。
【請求項５】
定寸のテープは、保管時の折り畳み状態の駆血兼止血テープにしていることを特徴とする請求項１〜４のいずれかに記載の定寸テープの収納ケース。
【発明の詳細な説明】
【技術分野】
【０００１】
本発明は、定寸のテープを箱に収納していて、使用時にテープを取り出す技術に関する。
【背景技術】
【０００２】
医療従事者が採血や点滴を行うときに駆血と止血に用いるテープが発明された。テープは、採血や点滴を受ける人の腕に巻き付ける。テープで腕を締め付けて駆血する。採血や点滴の後、駆血に用いたテープで針跡のある腕を締め付けて止血する。駆血兼止血テープは、人の腕に巻き付けて留めるのに適した長さにしている。また、合成樹脂テープにしている。血液を介した感染を防止するため、再利用せず、使い捨てにしている。
【０００３】
駆血兼止血テープは、細長く、保管時には折り畳んで短くしている。二つ折りや三つ折りにして粘着層や仮着層で折り畳み状態に維持している。保管時の折り畳み状態の駆血兼止血テープは、合成樹脂テープが２層又は３層になって、長さが展開時の１／２〜１／３位になっている。駆血兼止血テープは、使い捨てのため、多数本を保管している。使用時に、保管中の多数本の駆血兼止血テープから一本ずつ取り出す。
【０００４】
造花を作る装飾リボンの収納ケースが発明された。このケースは、特許文献１に開示されているように、保持部材と阻止部材を付けたトレイに定尺の装飾リボンを載せて、トレイを箱に挿入している。定尺の装飾リボンを多数本収納していて、使用時に取り出す。
【先行技術文献】
【特許文献】
【０００５】
【特許文献１】特開２０１５−４８０８３号公報
【発明の概要】
【発明が解決しようとする課題】
【０００６】
［課  題］
定寸のテープを多数本収納していて、使用時に一本ずつ取り出すのに適したケースを提供したい。ケースは、構造を簡単にしたい。
【０００７】
［構  想］
１）テープの収納と取出
定寸のテープは、多数本を上下に重ねて積層し、角棒形状のテープ積層体にする。テープ積層体は、最上層又は最下層のテープを外側にして湾曲し、両端を連結せずに、ほぼ一重の輪形状にする。輪形状のテープ積層体は、箱に挿入する。箱内では、輪形状のテープ積層体は、輪形状の前後の側面をそれぞれ箱の前後の側板に近接又は接触して並列する。このような状態で多数本の定寸のテープを箱に収納する。
【０００８】
そして、テープの取出時、箱の前側板又は後側板に取出口を開口する。取出口は、上部を箱内の輪形状のテープ積層体の上部に対面し、下部を輪形状のテープ積層体の内側空間に対面して連通する。箱の取出口が箱内のテープ積層体の内側空間と対面して連通する部分は、人が人差し指を差し込む指差込み部分にする。テープを取り出す人は、箱の取出口の指差込み部分から箱内の輪形状のテープ積層体の内側空間に人差し指を差し込む。人差し指と親指で輪形状テープ積層体の最内層のテープの上部を摘まむ。箱内の輪形状テープ積層体の最内層のテープを箱の取出口から引き出す。
箱の前側板又は後側板は、取出口の縁位置に切断予定線を設ける。取出口の開口時、箱の前側板又は後側板の切断予定線内側部分を切り取る。
【０００９】
２）受止め片
箱内の輪形状のテープ積層体は、上部が垂れ下がって内側空間が低くなることがある。箱内のテープ積層体の内側空間が低くなると、箱の取出口の指差込み部分が狭くなる。箱の取出口の指差込み部分から箱内のテープ積層体の内側空間に指が入り難くなる。テープを取り出し難くなる。
【００１０】
そこで、箱内の輪形状のテープ積層体の上部が垂れ下がって箱内のテープ積層体の内側空間が低くなるときには、テープ積層体の内側空間に受止め片を突出して、受止め片でテープ積層体の上部を支えることにする。受止め片で箱の取出口の指差込み部分が狭くなるのを防止する。テープを取り出し難くならない。
箱の前側板又は後側板は、受止め片の縁位置に切断予定線を設ける。受止め片の突出時、箱の前側板又は後側板の切断予定線内側部分を切り起こす。
【００１１】
３）取囲み部材
輪形状のテープ積層体を直方体形状の箱に入れると、箱内の輪形状のテープ積層体の内側と外側に空間や隙間ができる。テープ積層体を収納した箱は、倒されたり、揺す振られたりして、外力を受けると、箱内の輪形状のテープ積層体が変形したり、移動したりし、積層状態が乱れたりすることがある。箱内のテープ積層体の収納形態が変化すると、テープを取り出し難くなることがある。
【００１２】
そこで、箱内の輪形状のテープ積層体は、外周を取囲み部材で取り囲むことにする。箱内のテープ積層体の収納形態が崩れ難くする。テープを取り出し難くならない。
取囲み部材は、囲み形状を箱内のテープ積層体の収納形態の外形状とほぼ同様にする。取囲み部材内に輪形状のテープ積層体を嵌め込む。輪形状のテープ積層体を詰め込んだ取囲み部材を箱に挿入する。
【００１３】
なお、輪形状のテープ積層体は、上記１）のように、縦姿勢で箱に収納すると、輪形状の外形が円形状から変形したり、変形しなかったりする。箱内のテープ積層体の収納形態は、テープ積層体の密度や湾曲特性などの物性、テープ積層体の箱に対する相対寸法に応じて変化する。取囲み部材は、囲み形状を箱内のテープ積層体の収納形態の外形状に適した形状にする。
取囲み部材の具体例は、細長形状の帯状片を輪形状に湾曲して両端を連結し、輪にする。輪は、形状を箱内のテープ積層体の収納形態の外形状とほぼ同形に成形する。
【課題を解決するための手段】
【００１４】
１．定寸のテープを収納していて使用時にテープを取り出すケースにおいて、
定寸のテープは多数本を上下に重ねて積層体にし、積層体は最上層又は最下層のテープを外側にして湾曲し、両端を連結せずに、ほぼ一重の輪形状にし、輪形状のテープ積層体を箱に挿入し、箱内では輪形状のテープ積層体の輪形状の前側面と後側面をそれぞれ箱の前側板と後側板に近接又は接触して並列する収納ケースであって、
箱の前側板又は後側板は、取出口の縁位置に切断予定線を設け、前側板又は後側板の切断予定線内側部分を切り取って取出口を形成する構成にし、
取出口は、上部を箱内の輪形状のテープ積層体の上部に対面し、下部を輪形状のテープ積層体の内側空間に対面して連通する構成にし、箱の取出口が箱内のテープ積層体の内側空間と対面して連通する部分は、人が人差し指を差し込む指差込み部分にし、
テープの取出時、箱の前側板又は後側板に取出口を開口し、取出口の指差込み部分から箱内の輪形状のテープ積層体の内側空間に人差し指を差し込み、人差し指と親指で輪形状テープ積層体の最内層のテープの上部を摘まみ、箱内の輪形状テープ積層体の最内層のテープを箱の取出口から引き出す構成にしていることを特徴とする定寸テープの収納ケース。
２．上記１の定寸テープの収納ケースにおいて、
箱の前側板又は後側板は、受止め片の縁位置に切断予定線を設け、前側板又は後側板の切断予定線内側部分を切り起こして受止め片を箱内に突出する構成にし、
受止め片は、箱内の輪形状のテープ積層体の内側空間に突出して輪形状のテープ積層体の上部を支える形状寸法にし、
受止め片で箱の取出口の指差込み部分が狭くなるのを防止する構成にしていることを特徴とする。
３．上記１又は２の定寸テープの収納ケースにおいて、
箱内の輪形状のテープ積層体の外周を取り囲む取囲み部材を設け、
取囲み部材は、囲み形状を箱内のテープ積層体の収納形態の外形状とほぼ同様にし、
取囲み部材内に輪形状のテープ積層体を嵌め込み、輪形状のテープ積層体を詰め込んだ取囲み部材を箱に挿入する構成にしていることを特徴とする。
４．上記３の定寸テープの収納ケースにおいて、
取囲み部材は、細長形状の帯状片を輪形状に湾曲し両端を連結して輪にし、輪の形状を箱内の輪形状のテープ積層体の収納形態の外形状とほぼ同様にしていることを特徴とする。
５．上記１〜４のいずれかの定寸テープの収納ケースにおいて、
定寸のテープは、保管時の折り畳み状態の駆血兼止血テープにしていることを特徴とする。
【発明の効果】
【００１５】
収納ケースは、定寸のテープを収納していて、使用時に一本ずつ取り出すことができる。構造が簡単になる。
【図面の簡単な説明】
【００１６】
【図１】本発明の実施形態における定寸テープの収納ケースの箱の正面図。
【図２】図１のＡ−Ａ線断面図。
【図３】同箱の背面図。
【図４】同箱に挿入する取囲み部材に輪形状のテープ積層体を詰め込んだ状態の正面図。
【図５】同箱に輪形状のテープ積層体を収納した状態の背面図。
【図６】同箱の取出口を開口した状態の背面図。
【図７】同箱に輪形状のテープ積層体を収納した状態の正面図。
【図８】同箱の受止め片を箱内に突出した状態の正面図。
【図９】図８のＢ−Ｂ線断面図。
【図１０】同箱に挿入する取囲み部材の正面図。
【図１１】同取囲み部材の展開状態を示す図で、中間省略縮小図。
【図１２】同箱に収納する定寸テープ、折り畳み状態の駆血兼止血テープの平面図。
【図１３】同駆血兼止血テープの正面図で、厚さ方向を拡大した図。
【発明を実施するための形態】
【００１７】
実施形態の定寸テープの収納ケースは、定寸のテープｔを箱１に多数本収納していて使用時にテープｔを一本ずつ取り出すケースにしている。
定寸のテープｔは、多数本を上下に重ねて積層体にし、最上層又は最下層のテープを外側にして湾曲し、両端を連結せずに、ほぼ一重の輪形状にしている。多数本の定寸のテープｔは、箱１に収納するため、輪形状のテープ積層体Lにしている。テープｔの素材は合成樹脂にしている。
【００１８】
図１〜図３に示す箱１には、図４に示す輪形状のテープ積層体Lを挿入している。箱１の形状は、直方体形状にし、縦の方形平板形状にしている。箱１の素材は厚紙にしている。平板形状の箱１内では、輪形状のテープ積層体Lは、図５〜図９に示すように、輪形状の前側面と後側面をそれぞれ箱１の前側板２と後側板３に近接又は接触して並列している。
【００１９】
＜取出口＞
箱１は、後側板３に取出口４を開口可能にしている。取出口４から箱１内の定寸のテープｔを一本ずつ取り出し可能にしている。
箱の後側板３は、図３と図５に示すように、取出口４の縁位置に切断予定線５を設けている。切断予定線５に沿って切断容易にしている。取出口４を開口するときには、箱の後側板３の切断予定線５内側部分を切り取る。箱の後側板３の上部に取出口４が開口する。取出口４は、図６に示すように、上部を箱１内の輪形状のテープ積層体Lの上部に対面し、下部を箱１内の輪形状のテープ積層体Lの内側空間の上部に対面して連通している。箱の取出口４が箱１内のテープ積層体Lの内側空間と対面して連通する部分６は、テープｔを取り出す人が人差し指を差し込むことのできる形状寸法にしている。指差込み部分６にしている。
【００２０】
箱１内のテープｔを取り出すときには、箱の取出口４を開口する。取出口４の指差込み部分６から箱１内の輪形状のテープ積層体Lの内側空間に人差し指を差し込む。人差し指と親指で箱１内の輪形状テープ積層体Lの最内層のテープｔの上部を摘まむ。箱１内の輪形状テープ積層体Lの最内層のテープｔを取出口４から引き出す。
【００２１】
＜受止め片＞
箱１は、前側板２から受止め片７を箱内に突出可能にしている。受止め片７で取出口４の指差込み部分６が狭くなるのを防止可能にしている。
箱の前側板２は、図１と図７に示すように、受止め片７の縁位置に切断予定線８を設けている。切断予定線８に沿って切断容易にしている。受止め片７を箱１内に突出するときには、前側板の切断予定線８内側部分を箱１内へ押して切り起こす。舌形状の受止め片７が縦姿勢で前側板２から箱１内に突出する。
【００２２】
箱１内に突出した受止め片７は、図８と図９に示すように、箱１内の輪形状のテープ積層体Lの内側空間の上部に突出してテープ積層体Lの上部を支えている。箱１内の輪形状のテープ積層体Lの上部が垂れ下がって箱１内の輪形状のテープ積層体Lの内側空間が低くなるのを防止している。即ち、取出口の指差込み部分６が狭くなるのを防いている。取出口の指差込み部分６から箱１内の輪形状のテープ積層体Lの内側空間に指が入り難くならない。テープｔを取り出し難くならない。
【００２３】
＜取囲み部材＞
箱１内の輪形状のテープ積層体Lの外周を取り囲む取囲み部材１１を設けている。箱１内のテープ積層体Lの収納形態の崩れを低減している。箱１内のテープ積層体Lの収納形態の崩れによってテープｔを取り出し難くなるのを防いている。
【００２４】
箱１に収納している輪形状のテープ積層体Lは、図５〜図９に示すように、外周を取囲み部材１１で取り囲んでいる。
取囲み部材１１は、図１０に示すように、輪にし、輪の形状即ち囲み形状を箱１内のテープ積層体Lの収納形態の外形状とほぼ同様にしている。囲み形状は、下部と左右の側部をそれぞれ直線状にし、上部を中高の円弧の曲線状にしている。取囲み部材１１内には、図４に示すように、輪形状のテープ積層体Lを嵌め込んでいる。輪形状のテープ積層体Lを詰め込んだ取囲み部材１１は、箱１に挿入している。箱１内の取囲み部材１１は、図５〜図９に示すように、下部を箱１の底板に載せて、左右の側部をそれぞれ箱１の左右の側板に接し、上部を箱１の天板に近接している。
【００２５】
なお、箱１内のテープ積層体Lの収納形態は、テープ積層体Lの密度や湾曲特性などの物性、テープ積層体Lの箱１に対する相対寸法に応じて変化する。取囲み部材は１１、囲み形状を箱１内のテープ積層体Lの収納形態の外形状に適合した形状にする。
取囲み部材１１の素材は厚紙にしている。厚紙の細長形状の帯状片１２は、図１１に示すように、両端部にそれぞれ連結用の溝１３を形成している。細長形状の帯状片１２は、輪形状に湾曲し、両端部の溝１３を嵌め合って両端を連結し、輪にしている。輪は、折曲したり、湾曲したりして、形状を箱１内のテープ積層体Lの収納形態の外形状とほぼ同形に成形している。
【００２６】
＜定寸のテープ＞
定寸のテープｔは、保管時の折り畳み状態の駆血兼止血テープにしている。
駆血兼止血テープｔは、合成樹脂テープの細長形状の帯状片にし、両端部をそれぞれ摘み部２３、２４にし、一端側の片面に連結用の粘着層２１を形成している。このテープｔは、医療従事者が両手で両端部の摘み部２３、２４を摘んで、採血や点滴を受ける人の腕に巻き付けて、一端側の粘着層２１に他端側を付着する。輪にする。輪にしたテープｔで腕を締め付けて駆血する。採血や点滴の後、駆血に用いたテープｔで針跡のある腕を締め付けて止血する。
【００２７】
駆血兼止血テープｔは、人の腕に巻き付けて留めるのに適した長さにしている。保管時には二つ折りに折り畳んで短くしている。
保管時の折り畳み状態の駆血兼止血テープｔは、図１２と図１３に示すように、一端側の粘着層２１に他端側を付着し、二つ折りの折り曲げ部をその間に介在した仮着層２２で付着している。一端側の摘み部２３と他端側の摘み部２４は、粘着層２１から一端側に突出している。
折り畳み状態の駆血兼止血テープｔは、多数本、例えば約１００本を上下に重ねて積層し、角棒形状のテープ積層体にしている。角棒形状のテープ積層体は、最下層のテープを外側にして湾曲し、両端を連結せずに、ほぼ一重の輪形状にしている。輪形状のテープ積層体Lは、図４に示すように、取囲み部材１１内に嵌め込んでいる。仮着層２２付きの折り曲げ部は、端を揃え、取囲み部材１１の下部に載せている。一端側の摘み部２３と他端側の摘み部２４は、取囲み部材１１の側部に沿わせている。
【００２８】
［変形例］
本発明は、上記の実施形態に限定されない。次のような変形が例示される。
１．上記の実施形態において、箱１に開口する取出口４は、切断予定線５を箱の後側板３に設けているが、箱の前側板２に設ける。
２．上記の実施形態において、箱１内に突出する受止め片７は、切断予定線８を箱の前側板２に設けているが、箱の後側板３に設ける。
３．上記の実施形態において、箱１に開口する取出口４は、箱の後側板３の切断予定線５内側部分を切り取って切片を取出口４の縁から完全に分離するが、切断予定線５内側部分を切り取る際に切片の一辺を取出口４の縁に残し、切片を取出口４の開閉蓋にする。
４．上記の実施形態において、取囲み部材１１は、帯状片１２の両端を連結する手段を、帯状片に形成した溝１３にしているが、留め具、接着剤若しくは糊にする。又は、その他の手段にする。
５．上記の実施形態において、取囲み部材１１は、帯状片１２を湾曲して輪形状にしているが、輪形状の成形品にする。例えば、合成樹脂成形品の輪にする。
６．上記の実施形態において、箱１の素材は、紙にしているが、合成樹脂にする。又は、その他の素材にする。
７．上記の実施形態において、定寸のテープｔの素材は、合成樹脂にしているが、紙、織布若しくは不織布にする。又は、その他の素材にする。
【符号の説明】
【００２９】
ｔ  定寸のテープ、保管時の折り畳み状態の駆血兼止血テープ
L  輪形状のテープ積層体
１  箱
２  箱の前側板
３  箱の後側板
４  箱の取出口
５  取出口の切断予定線
６  取出口の指差込み部分
７  受止め片
８  受止め片の切断予定線
１１  取囲み部材
１２  取囲み部材構成用の帯状片
１３  帯状片の連結用の溝
２１  駆血兼止血テープの粘着層
２２  駆血兼止血テープの仮着層
２３  駆血兼止血テープの一端側の摘み部
２４  駆血兼止血テープの他端側の摘み部
【図１】
0006595947.tif 000002
【図２】
0006595947.tif 000003
【図３】
0006595947.tif 000004
【図４】
0006595947.tif 000005
【図５】
0006595947.tif 000006
【図６】
0006595947.tif 000007
【図７】
0006595947.tif 000008
【図８】
0006595947.tif 000009
【図９】
0006595947.tif 000010
【図１０】
0006595947.tif 000011
【図１１】
0006595947.tif 000012
【図１２】
0006595947.tif 000013
【図１３】
0006595947.tif 000014